(57)【要約】      （修正有）【課題】人体の胴体部付近に結わえた際に人体からの大きな張り出しを抑えて、山道などでの小さな作物の収穫作業を円滑に行うことができる果実野菜収穫籠を提供する。【解決手段】ＰＰパイプを縦糸に、ＰＰ撚糸を横糸にして織成した反物を二重にして、胴部２及び底部３を一体的に形成する。そして、胴部２は、その上縁に収容されかつ上方へ開口する開口部２３の形状を保持する環状の保持材を備えている。底部３は、左右方向へ長い矩形状に形成されている。人体Ｈの胴体部Ｈ１に接する胴部２の上端部に、左右一対の挿通孔にそれぞれ取り付けた鳩目２５を設け、この各鳩目２５に長手方向中間部付近が挿通されて当該各鳩目２５よりそれぞれ導出する結束紐２６の両側部分２６２，２６２によって、果実野菜収穫籠本体１０を人体Ｈの胴体部Ｈ１に結束している。【選択図】図４
0003192625.tif 000002
【実用新案登録請求の範囲】
【請求項１】
合成樹脂製の撚糸及びパイプのいずれか一方を縦糸に、他方を横糸にして織成又は編成した反物を用いて、果実野菜収穫籠本体の胴部及びこれに続く底部が一体的に形成されており、
前記胴部は、その上縁に収容されかつ上方へ開口する開口部の形状を保持する環状の保持材を備えているとともに、
前記底部は、左右方向へ長い矩形状に形成され、
前記人体の胴体部に接する前記胴部の上端部には一対の挿通孔が設けられ、この各挿通孔には、前記果実野菜収穫籠本体を前記人体の胴体部に結束する結束紐の長手方向中間部付近が挿通されていることを特徴とする果実野菜収穫籠。
【請求項２】
前記果実野菜収穫籠本体の胴部及び底部は、前記反物を内外二重にして形成されている請求項１に記載の果実野菜収穫籠。
【請求項３】
前記保持材は、前記胴部の上縁のうちの前記人体の胴体部に接する人体接触部分をこれとは反対側の人体非接触部分の曲率よりも小さな曲率とするように異形の環状体に形成されている請求項１又は請求項２に記載の果実野菜収穫籠。
【請求項４】
前記底部は、４つの各辺より反胴部側へそれぞれ延びる４つの構成片同士の間が切り離されて当該各構成片がそれぞれ内方へ折り曲げられており、
前記各構成片のうちの短辺側の構成片は、残る長辺側の構成片を上下に重ね合わせた下方から重ね合わされて縫製されている請求項１〜請求項３のいずれか１つに記載の果実野菜収穫籠。
【請求項５】
前記底部の各辺のうちの前記人体の胴体部に接触する一方の長辺が、前記胴体部の周面に則して弧状に形成されている請求項１〜請求項４のいずれか１つに記載の果実野菜収穫籠。
【考案の詳細な説明】
【技術分野】
【０００１】
本考案は、茸や山菜の他、比較的小さな木の実などの果実を収穫する際に用いられる果実野菜収穫籠に関する。
【背景技術】
【０００２】
従来より、この種の果実野菜収穫籠としては、上方へ開口する開口部を備えた胴部及びこれに続く底部をそれぞれ板材などの剛体により形成し、胴部の上端部付近に両端部を取り付けた肩紐によって肩から吊すようにしたものが知られている（特許文献１参照）
【０００３】
また、合成樹脂よりなる縦糸及び横糸を織成又は編成して、果実野菜収穫籠本体の胴部及びこれに続く底部を一体的に形成し、その胴部の上端部付近に取り付けた結束紐により人体の胴体部付近で結束して保持するようにした果実野菜収穫籠もある。このような果実野菜収穫籠の場合、底部が略正方形状に形成されているものが多く、収穫量を十分に確保できるようにしている。
【先行技術文献】
【特許文献】
【０００４】
【特許文献１】特公平７−６１２１７号公報
【考案の概要】
【考案が解決しようとする課題】
【０００５】
しかし、前記従来の前者のものでは、胴部及び底部がそれぞれ板材などの剛体により形成されているため、嵩張る上、重量も重く、茸や山菜の他、比較的小さな木の実などの果実を収穫する際には持ち運びに不適格であり、収穫作業が捗らない。
一方、前記後者のものでは、合成樹脂よりなる縦糸及び横糸を織成又は編成して果実野菜収穫籠本体の胴部及び底部が形成されているため、前記前者に比して、嵩張り難い上、重量も軽く、持ち運びに好適であり、収穫作業も捗り易いものとなる。
【０００６】
ところで、山菜、茸、木の芽や小梅などのような小さな作物の収穫では、収穫量がさほど必要とはならない。このため、十分な収穫量を確保する上で果実野菜収穫籠の底部が略正方形状に形成されていると、足場が悪くかつ木立の枝などに遮られた山道などでの収穫作業では、果実野菜収穫籠が木立の枝などに引っかかり易い。これは、底部が略正方形状であるために果実野菜収穫籠を人体の胴体部付近に結わえた際に、当該果実野菜収穫籠が人体から大きく張り出してしまうからであり、これでは、山道などでの収穫作業に支障を招くおそれがある。
【０００７】
本考案は、かかる点に鑑みてなされたものであり、その目的とするところは、人体の胴体部付近に結わえた際に人体からの大きな張り出しを抑えて、山道などでの小さな作物の収穫作業を円滑に行うことができる果実野菜収穫籠を提供することにある。
【課題を解決するための手段】
【０００８】
上記目的を達成するため、本考案では、果実野菜収穫籠として、合成樹脂製の撚糸及びパイプのいずれか一方を縦糸に、他方を横糸にして織成又は編成した反物を用いて、果実野菜収穫籠本体の胴部及びこれに続く底部を一体的に形成する。更に、前記胴部は、その上縁に収容されかつ上方へ開口する開口部の形状を保持する環状の保持材を備えているとともに、前記底部は、左右方向へ長い矩形状に形成されている。そして、前記人体の胴体部に接する前記胴部の上端部には一対の挿通孔が設けられ、この各挿通孔には、前記果実野菜収穫籠本体を前記人体の胴体部に結束する結束紐の長手方向中間部付近が挿通されていることを特徴としている。
【０００９】
また、前記果実野菜収穫籠本体の胴部及び底部は、前記反物を内外二重にして形成されていてもよい。
【００１０】
また、前記保持材は、前記胴部の上縁のうちの前記人体の胴体部に接する人体接触部分をこれとは反対側の人体非接触部分の曲率よりも小さな曲率とするように異形の環状体に形成されていることがこのましい。
【００１１】
また、前記底部は、４つの各辺より反胴部側へそれぞれ延びる４つの構成片同士の間が切り離されて当該各構成片がそれぞれ内方へ折り曲げられており、この各構成片のうちの短辺側の構成片は、残る長辺側の構成片を上下に重ね合わせた下方から重ね合わされて縫製されていることがこのましい。
【００１２】
更に、前記底部の各辺のうちの前記人体の胴体部に接触する一方の長辺を、前記胴体部の周面に則して弧状に形成することがこのましい。
【考案の効果】
【００１３】
以上、要するに、底部を左右方向へ長い矩形状に形成することで、胴部の上端の一対の挿通孔に長手方向中間部付近を挿通した結束紐によって果実野菜収穫籠を人体の胴体部に結束しておけば、果実野菜収穫籠本体の底部が人体から外方へ大きく張り出すことがない。これにより、果実野菜収穫籠を人体の胴体部付近に結わえた際に人体からの大きな張り出しが抑えられ、足場が悪くかつ木立の枝などに遮られた山道などでの収穫作業においても果実野菜収穫籠が木立の枝などに引っかかり難いものとなり、山道などでの小さな作物の収穫作業を円滑に行うことができる。
【００１４】
また、果実野菜収穫籠本体の胴部及び底部を、反物を内外二重にして形成することで、非常に剛性の高い果実野菜収穫籠を提供することができる。
【００１５】
また、保持材を異形の環状体に形成して、胴部の上縁のうちの人体の胴体部に接する人体接触部分を人体非接触部分の曲率よりも小さな曲率とすることで、果実野菜収穫籠を人体の胴体部付近に結わえた際に胴部の上縁の人体接触部分が人体の胴体部に密接し易くなり、果実野菜収穫籠を人体の胴体部に対して一体的に取り付けることができる。しかも、人体非接触部分の曲率を人体接触部分の曲率よりも大きな曲率にすることで、開口部が外方（反人体接触部分側）へ丸みを持って大きく開口し、収穫物の投入を効率よく行うことができる。
【００１６】
また、底部の４つの構成片同士の間を切り離して当該各構成片をそれぞれ内方へ折り曲げ、この各構成片のうちの短辺側の構成片を、残る長辺側の構成片を上下に重ね合わせた下方から重ね合わせて縫製することで、果実野菜収穫籠の底部を４つの構成片によって効率よく強固に形成することができる。
【００１７】
更に、人体の胴体部に接触する底部の一方の長辺を、胴体部の周面に則して弧状に形成することで、果実野菜収穫籠を人体の胴体部付近に結わえた際に底部の一方の長辺が人体の胴体部に対しより密接し、果実野菜収穫籠を人体の胴体部に対してより一体的に取り付けることができる。
【図面の簡単な説明】
【００１８】
【図１】本考案の実施の形態に係る果実野菜収穫籠の斜視図である。
【図２】図１の果実野菜収穫籠を上方から見た平面図である。
【図３】図２のＡ−Ａ線において切断した断面図である。
【図４】図１の果実野菜収穫籠を人体の胴体部に結わえた際の斜視図である。
【図５】図１の果実野菜収穫籠を下方から見た底面図である。
【図６】実施形態の変形例に係る果実野菜収穫籠を下方から見た底面図である。
【考案を実施するための形態】
【００１９】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００２０】
図１は本考案の実施の形態に係る果実野菜収穫籠の斜視図、図２は果実野菜収穫籠を上方から見た平面図、図３は図２のＡ−Ａ線において切断した断面図をそれぞれ示している。
【００２１】
図１〜図３において、１は本考案の実施の形態に係る果実野菜収穫籠であって、その果実野菜収穫籠本体１０は、直径１．６ｍｍのＰＰ（ポリプロピレン）パイプを縦糸１１に、ＰＰ撚糸を横糸１２にして織成した反物１３を二重にして、筒状の胴部２及びこれに続く底部３が一体的に形成されてなる。胴部２は、その上縁において反物１３がその内側に環状の保持材２２（図３に表れる）を収容した状態で折り返されて二重に形成され、縫製によって保持材２２を胴部２の上縁で保持している。この保持材２２は、塑性変形不能な樹脂材により形成され、胴部２の上方へ開口する開口部２３の形状を保持している。
【００２２】
図４は果実野菜収穫籠１を人体の胴体部に結わえた際の斜視図を示している。この図４において、果実野菜収穫籠１の胴部２の上縁は、人体Ｈの胴体部Ｈ１に接する人体接触部分２Ａと、これとは反対側に設けられ、人体Ｈの胴体部Ｈ１に非接触な人体非接触部分２Ｂとを備えている。また、人体Ｈの胴体部Ｈ１に接する胴部２の上端部（人体接触部分２Ａの下側）には、図示しない左右一対の挿通孔にそれぞれ取り付けられた鳩目２５（挿通孔）が設けられている。そして、各鳩目２５には、果実野菜収穫籠本体１０を人体Ｈの胴体部Ｈ１に結束する結束紐２６の長手方向中間部２６１付近が挿通されている。具体的には、結束紐２６は、その長手方向中間部２６１を胴部２の外側に沿わせてそれぞれ鳩目２５，２５から胴部２の内側に挿通し、それぞれ挿通させた両側部分２６２，２６２を開口部２３越しに胴部２の外側に移してから、鳩目２５へ挿通前の長手方向中間部２６１の両端に交差させて胴体部Ｈ１に結束可能に導出させるようにしている。そして、各鳩目２５よりそれぞれ導出された両側部分２６２，２６２を人体Ｈの胴体部Ｈ１付近で結束して結わえることで、果実野菜収穫籠１を人体Ｈに保持している。この場合、結束紐２６としては、塩化ビニルとエステルとからなる不織布のロープが用いられ、手触りよく耐久性に優れた仕様となっている。
【００２３】
図５は果実野菜収穫籠１を下方から見た底面図を示している。果実野菜収穫籠１の底部３は、左右方向へ長い矩形状に形成されている。この場合、底部３の４つの各辺３ａ〜３ｄのうち、前後両側の長辺３ａ，３ｂの長さは、左右両側の短辺３ｃ，３ｄの長さの約２倍に設定されている。
【００２４】
また、底部３は、４つの各辺３ａ〜３ｄより反胴部２側へそれぞれ延びる前後左右の構成片３１〜３４同士の間が切り離されて当該各構成片３１〜３４がそれぞれ内方へ折り曲げられている。この各構成片３１〜３４のうち、前側及び後側構成片３１，３２は、底部３の形状と略一致した左右方向へ長い矩形状に形成されている一方、左側及び右側構成片３３，３４は、双方３３，３４合わせて底部３の形状と略一致する略正方形状に形成されている。また、底部３では、左側及び右側構成片３３，３４が前側及び後側構成片３１，３２を上下に重ね合わせた下方から重ね合わされて互いの先端同士を突き合わせ、その突き合わせ端同士が縫い代３５を存して縫製されている。そして、前側及び後側構成片３１，３２の先端は、胴部２の下端つまり互いに対向する底部３の長辺３ａ，３ｂに対しそれぞれ縫製されている。また、左右の短辺３ｃ，３ｄの突き合わせ端同士における縫い代３５の前後両端のうちの一方は、前側構成片３１の先端と後側の長辺３ｂとの縫製部分３６に対し右向きに、他方は、後側構成片３２の先端と前側の長辺３ａとの縫製部分３７に対し左向きにそれぞれ折り倒されて縫製されている。そして、底部３は、左側及び右側構成片３３，３４と前側及び後側構成片３１，３２との重ね合わせによって３重に形成されている。この場合、前後の縫製部分３６，３７は、前側及び後側構成片３１，３２の先端と後側及び前側の長辺３ａ，３ｂとの縫製により下方へ突出し、底部３を接地した際に果実野菜収穫籠１を安定して接地できるようにしている。
【００２５】
更に、保持材２２は、胴部２の上縁のうちの人体Ｈの胴体部Ｈ１に接する人体接触部分２Ａを人体非接触部分２Ｂの曲率よりも小さな曲率とするように異形の環状体に形成されている。
【００２６】
したがって、本実施の形態では、底部３が左右方向へ長い矩形状に形成されているので、胴部２の上端の左右一対の鳩目２５，２５より導出させた結束紐２６の両側部分２６２，２６２によって果実野菜収穫籠１を人体Ｈの胴体部Ｈ１に結束すると、果実野菜収穫籠１が人体Ｈから大きく張り出すことがない。これにより、果実野菜収穫籠１を人体Ｈの胴体部Ｈ１付近に結わえた際の大きな張り出しが抑えられ、足場が悪くかつ木立の枝などに遮られた山道などでの収穫作業においても果実野菜収穫籠１が木立の枝などに引っかかり難いものとなり、山道などでの小さな作物の収穫作業を円滑に行うことができる。しかも、反物１３を二重にして胴部２及び底部３が一体的に形成されているので、非常に剛性の高い果実野菜収穫籠１を提供することができる。
【００２７】
また、保持材２２が異形の環状体に形成されて、果実野菜収穫籠１の胴部２の上縁のうちの人体接触部分２Ａが人体非接触部分２Ｂの曲率よりも小さな曲率にされているので、果実野菜収穫籠１を人体Ｈの胴体部Ｈ１付近に結束紐２６で結わえた際に胴部２の上縁の人体接触部分２Ａが人体Ｈの胴体部Ｈ１に密接し易くなり、果実野菜収穫籠１を人体Ｈの胴体部Ｈ１に対して一体的に取り付けることができる。しかも、胴部２の上縁の人体非接触部分２Ｂの曲率が人体接触部分２Ａの曲率よりも大きければ、開口部２３が外方（反人体接触部分２Ａ側）へ丸みを持って大きく開口し、収穫物の投入を効率よく行うことができる。
【００２８】
また、底部３の４つの構成片３１〜３４同士の間を切り離して当該各構成片３１〜３４をそれぞれ内方へ折り曲げ、この各構成片３１〜３４のうちの左側及び右側短辺３ｃ，３ｄ側の左側及び右側構成片３３，３４が、残る前側及び後側長辺３ａ，３ｂ側の前側及び後側構成片３１，３２を上下に重ね合わせた下方から重ね合わされて縫製されているので、果実野菜収穫籠１の底部３が３重構造となり、底部３を４つの構成片３１〜３４によって効率よく強固に形成することができる。
【００２９】
なお、本考案は、前記実施の形態に限定されるものではなく、その他種々の変形例を包含している。例えば、前記実施の形態では、果実野菜収穫籠１の底部３を左右方向へ長い矩形状に形成したが、図６に示すように、果実野菜収穫籠本体４０の底部６の各辺６ａ〜６ｄのうち、人体Ｈの胴体部Ｈ１に接する後側長辺６ｂ（一方の長辺）が、人体Ｈの胴体部Ｈ１の周面に則して弧状に形成されていてもよい。これによれば、果実野菜収穫籠４を人体Ｈの胴体部Ｈ１付近に結束紐２６により結わえた際に底部６の後側長辺６ｂが人体Ｈの胴体部Ｈ１に対しより密接し、果実野菜収穫籠４を人体Ｈの胴体部Ｈ１に対してより一体的に取り付けることが可能となる。この場合、底部６は、４つの各辺３ａ〜３ｄより反胴部５側へそれぞれ延びる前後左右の構成片６１〜６４同士の間が切り離されて当該各構成片６１〜６４がそれぞれ内方へ折り曲げられている。この各構成片６１〜６４のうち、前側及び後側構成片６１，６２は、底部６の形状と略一致した左右方向へ長い形状に形成されている一方、左側及び右側構成片６３，６４は、双方６３，６４合わせて底部３の形状と略一致する形状に形成されている。また、底部６では、左側及び右側構成片６３，６４が前側及び後側構成片６１，６２を上下に重ね合わせた下方から重ね合わされて互いの先端同士を突き合わせ、その突き合わせ端同士が縫い代６５を存して縫製されている。そして、前側及び後側構成片６１，６２の先端は、胴部５の下端つまり互いに対向する底部６の長辺６ａ，６ｂに対しそれぞれ縫製され、左側及び右側構成片６３，６４の突き合わせ端同士における縫い代６５の前後両端のうちの一方が、前側構成片６１の先端と後側長辺６ｂとの縫製部分６６に対し右向きに、他方は、後側構成片６２の先端と前側長辺６ａとの縫製部分６７に対し左向きにそれぞれ折り倒されて縫製されている。なお、図６中５Ａは胴部５の上縁の人体接触部分、５Ｂは胴部５の上縁の人体非接触部分、５３は胴部５の上方に開口する開口部である。
【００３０】
また、前記実施の形態では、直径１．６ｍｍのＰＰパイプを縦糸１１に、ＰＰ撚糸を横糸１２にして織成した反物１３を二重にして、胴部２及び底部３を一体的に形成したが、ＰＰ撚糸を縦糸に、ＰＰパイプを横糸にして織成した反物を用いて、胴部及び底部が一体的に形成されていてもよい。
【００３１】
更に、前記実施の形態では、縦糸１１及び横糸１２としてＰＰ撚糸及びＰＰパイプを用いたが、ポリエチレン樹脂、ポリ塩化ビニル、ポリ塩化ビニリデン、ポリビニルアルコール、ポリスチレン、スチレン・アクリロニトリル共重合体、スチレン・ブタジエン・アクリロニトリル共重合体、エチレン・酢酸ビニル共重合体、ポリプロピレン(非変性)、ポリアセタール、ポリメチルメタクリレート、酢酸セルローズ、ポリカーボネイト、ポリエチレンテレフタレート(ポリエステルシート)、ポリウレタン、三フッ化塩化エチレン、四フッ化エチレン、四フッ化エチレン・六フッ化プロピレン共重合、四フッ化エチレン・パーフルオロアルコキシエチレン共重合、四フッ化エチレンエチレン共重合、フッ化ビニリデン等の熱可塑性樹脂よりなる撚糸を縦糸に、上述した熱可塑性樹脂よりなる直径１．０〜２．０ｍｍ程度のパイプを横糸にして織成又は編成した反物を用いて、胴部及び底部が一体的に形成されていてもよい。また、このような反物は、必ずしも二重にして用いる必要がなく、反物の強度に応じて一重〜三重にすればよい。
【符号の説明】
【００３２】
１          果実野菜収穫籠
１０        果実野菜収穫籠本体
１１        縦糸
１２        横糸
１３        反物
２          胴部
２Ａ        人体接触部分
２Ｂ        人体非接触部分
２２        保持材
２３        開口部
２５        鳩目（挿通孔）
２６        結束紐
２６１      長手方向中間部
３          底部
３ａ        前側長辺
３ｂ        後側長辺
３ｃ        左側短辺
３ｄ        右側短辺
３１        前側構成片
３２        後側構成片
３３        左側構成片
３４        右側構成片
４          果実野菜収穫籠
４０        果実野菜収穫籠本体
５          胴部
５Ａ        人体接触部分
５Ｂ        人体非接触部分
５３        開口部
５５        鳩目（挿通孔）
６          底部
６ａ        前側長辺（一方の長辺）
６ｂ        後側長辺
６ｃ        左側短辺
６ｄ        右側短辺
６１        前側構成片
６２        後側構成片
６３        左側構成片
６４        右側構成片
Ｈ          人体
Ｈ１        胴体部
【図１】
0003192625.tif 000003
【図２】
0003192625.tif 000004
【図３】
0003192625.tif 000005
【図４】
0003192625.tif 000006
【図５】
0003192625.tif 000007
【図６】
0003192625.tif 000008